Podtech/llm-jp-corpus-v4-ja_patent huggingface dataset:
【手続補正書】
【提出日】平成23年5月16日(2011.5.16)
【手続補正１】
【補正対象書類名】特許請求の範囲
【補正対象項目名】全文
【補正方法】変更
【補正の内容】
【特許請求の範囲】
【請求項１】
前身頃と後身頃とが、連続して筒状に編成された編地よりなり、前身頃のバスト部編地組織を伸び易い組織とし、バスト部に連続する袖刳下部の編地を緊締力の大なる伸び難い組織とし、緊締力の大なる編地によりバストを横方向から押さえるようにしたことを特徴とする成形衣料。
【請求項２】
バスト部の編地は、メッシュ組織としたことを特徴とする請求項１記載の成形衣料。
【請求項３】
後身頃地は、伸縮性を有するメッシュ組織で編成され、その左右両肩紐から裾部にかけてＸ字状に延在する帯状の緊締組織を配したことを特徴とする請求項１記載の成形衣料。
【手続補正２】
【補正対象書類名】明細書
【補正対象項目名】０００２
【補正方法】変更
【補正の内容】
【０００２】
従来ブラジャー等の成形衣料にあっては、着用によってバスト部の形状を美しく見せる効果と、運動或いは日常的な身体の動きによるバスト部の妄動を阻止する効果とを期待して種々工夫がなされている。例えば、バストを押えバストの形態を補正するバストカップを、支持布上に配し、別途同布に固定した補強布でバストカップを支えるようなブラジャーがある（特許文献１参照）。このブラジャーによれば、カップを使用することによりバスト部の形状はシルエットを崩す心配はなく、また、補強布の寄せ上げ力を好みに応じて調整出来て過重な力が加わることによる不快感は生じないとしているが、バストの形状はカップによって規定されており、カップの位置は押え布で決定されるので、自然な使用者個々人の条件に合った状態を保った位置でバストが保持固定されるという事にはならない。
【特許文献１】特開２００７−１５４３２６号公報
【手続補正３】
【補正対象書類名】明細書
【補正対象項目名】０００４
【補正方法】変更
【補正の内容】
【０００４】
請求項１記載の発明にあっては、前身頃と後身頃とが、連続して筒状に編成された編地よりなり、前身頃のバスト部編地組織を伸び易い組織とし、バスト部に連続する袖刳下部の編地を緊締力の大なる伸び難い組織とし、緊締力の大なる編地によりバストを横方向から押さえるようにした。この構成により個人差を有するバストであっても、バスト部の編地がバスト全体をカバーすることになり、バストをその横側から押圧固定することになる。
請求項２の発明にあっては、請求項１記載の成形衣料において、バスト部の編地は、メッシュ組織とすることで清涼感を得られるようにしたものである。
請求項３記載の発明にあっては、請求項１記載の成形衣料であって、後身頃地は、伸縮性を有する組織で編成され、その左右両肩紐から裾部にかけてＸ字状に延在する帯状の緊締組織を配したものである。これにより緊締組織により着用者が前屈姿勢をとったとき、その動きに対向し、姿勢を正しく保とうとする作用を生ずる。
【手続補正４】
【補正対象書類名】明細書
【補正対象項目名】００１２
【補正方法】変更
【補正の内容】
【００１２】
本発明成形衣料は、着用時にバスト部分を伸長性，通気性のあるメッシュ編地で被っており、該編地は連続した筒状に編成されたものであるからバスト部には縫目等の存在はなく、バストはその両側から緊締力大なる編地で押されるように保持されるから着用感を損なうことは全く生じない。
【手続補正書】
【提出日】平成23年5月16日(2011.5.16)
【手続補正１】
【補正対象書類名】特許請求の範囲
【補正対象項目名】全文
【補正方法】変更
【補正の内容】
【特許請求の範囲】
【請求項１】
前身頃と後身頃とが、連続して筒状に編成された編地よりなり、前身頃の伸縮性を有する組織で編成された左右バスト部に接して、バスト動揺阻止用の帯状の緊締組織を配し、バスト部及び帯状緊締組織以外の部分は中間の緊締力を有する組織としたことを特徴とする成形衣料。
【請求項２】
緊締組織は、衿刳と袖刳の交点を頂部とし下部は裾部緊締体との間に亘って両バスト部を隔ててＸ字状に延在することを特徴とする請求項１記載の成形衣料。
【請求項３】
緊締組織は、左右両バスト部間にＹ字又はエ字を形成する帯状体として配されたことを特徴とする請求項１記載の成形衣料。
【請求項４】
緊締組織は、左右両バスト部を環状に囲う帯状体として配されたことを特徴とする請求項１記載の成形衣料。
【請求項５】
緊締組織は、左右両バスト部の上部に両バスト部に接して一字状に帯状体として配されたことを特徴とする請求項１記載の成形衣料。
【請求項６】
緊締組織は左右両バスト部を挟んでその上下に接して二字状に帯状体として配されたことを特徴とする請求項１記載の成形衣料。
【請求項７】
後身頃中央の背部には、衿刳から裾部緊締帯の間にダイヤ形の緊締組織を配し、後身頃のダイヤ形緊締組織の両側には最も伸縮性の少ない組織を介して緊締組織を配してなる請求項１記載の成形衣料。
【請求項８】
伸縮性を有する組織で編成された左右バスト部分に、両バスト部を隔てて延在する帯状の緊締組織を配した前身裏地を、前記同様に延在する帯状の緊締組織を有する前身頃表地に、前記帯状の緊締組織が重なるよう積層して設け、前身表地と裏地間をパット収納空間としてなる請求項１記載の成形衣料。
【手続補正２】
【補正対象書類名】明細書
【補正対象項目名】０００１
【補正方法】変更
【補正の内容】
【０００１】
本発明は、ウォーキング、その他運動時における身体の動きに関連して生ずるバストの動きを押さえると共に、着用時着用者の姿勢を正しく保てるようにすることを目的とし、然も、着用時に成形衣料各部と身体とのなじみが良く、抵抗感なく着用することが出来る、ハーフトップ，ブラジャー，スポーツブラ，タンクトップ，キャミソール，エアロビクスや陸上競技のスポーツウエア等の成形衣料に関する。
【手続補正３】
【補正対象書類名】明細書
【補正対象項目名】０００４
【補正方法】変更
【補正の内容】
【０００４】
本発明は上記の点に鑑みて、スポーツ等を行い或は日常の行動中に身体を動かしている際の、バストの不必要な動きを押さえると共に着用により姿勢を正すことが出来、かつ、バスト部は、バスト部周辺の生地の緊張の程度に応じ緊締力に差を生ずるよう組織を変化してなり、縫合部，接着部等のない編地を重ねて構成することによって、着用時、身体の動きに対してフィット性良く対応し、かつ、縫目等により違和感の生じることのないハーフトップを得ることを課題とする。
また、本発明にあっては、表身頃の２枚の編地を単に重ねて使用するだけで特に固定手段を要せずに、ブラジャーカップを保持させ得るようにすることを課題とする。
【手続補正４】
【補正対象書類名】明細書
【補正対象項目名】０００５
【補正方法】変更
【補正の内容】
【０００５】
本発明の請求項１記載の発明にあっては、前身頃と後身頃とが、連続して筒状に編成された編地よりなり、前身頃の伸縮性を有する組織で編成された左右バスト部に接して、バスト動揺阻止用の帯状の緊締組織を配し、バスト部及び帯状緊締組織以外の部分は中間の緊締力を有する組織としている。
本発明の請求項２の発明にあっては、請求項１の発明において帯状の緊締組織を衿刳と袖刳の交点を頂点とし下部は裾部緊締体との間に亘って両バスト部を隔ててＸ字状に延在させる。
本発明の請求項３〜６の発明にあっては、緊締組織を左右両バスト部間にＹ字又はエ字形として設け、或は、両バストを環状に緊締組織帯で囲い、或は両バスト部に接し一字状或は二字状の帯状体よりなる緊締部を配している。
請求項７記載の発明にあっては、後身頃中央の背部には、衿刳から裾部緊締帯の間にダイヤ形の緊締組織を配し、後身頃のダイヤ形緊締組織の両側には伸縮性の少ない組織を介して最も伸縮性を有する組織を配してなる。
請求項８記載の発明にあっては、伸縮性を有する組織で編成された左右バスト部分に、両バスト部を隔てて延在する帯状の緊締組織を配した前身裏地を、前記同様に延在する帯状の緊締組織を有する前身表地に、前記帯状の緊締組織が重なるよう積層して設け、前身裏地間をパット収納空間としてなる。
【手続補正５】
【補正対象書類名】明細書
【補正対象項目名】００１１
【補正方法】変更
【補正の内容】
【００１１】
緊締帯１１は本願ハーフトップ１の実施例の中では、最も緊締力を有する伸張しにくい組織で編成されＸ字状に交差した交差部分１２には最もハードとなるような組織（一例をあげると鹿の子編組織）としている。
Ｘ字状に交差した緊締帯１１の両側にはバスト部１４，１４を設けている。バスト部１４，１４の編地は、最も緊締力が少ない延び易い組織として天竺が用いられている。そして、バスト部１４，１４の外側の袖刳７に接するバスト外側縁部１５，同縁部１５が後身頃３に続いた脇下部分２０，裾部１０，アンダーバスト部１６及び交差部分１２の上下に位置する三角形部分１８，１９を、中間の緊締力を有する組織例えばリブ組織としている。上記の例は緊締帯１１をＸ字状に交差させているが、バスト部１４，１４の動きを押さえる手法としては図３に示す如く、多数考えられる。図３Ａに示す例は左右バスト部１４，１４の上位に両バスト部１４，１４に乗る形で緊締帯１１を配し、緊締帯１１でバスト１４，１４を上位から押さえ、図３Ｂの例ではバスト１４，１４を上下から押さえ、図３Ｃに示す例はバスト１４，１４を囲むように環状に緊締帯１１を配し、バスト１４の上下左右方向の動きを制している。図３Ｄ，Ｅに示す例はバスト部１４，１４間にエ字形，Ｙ字形の緊締帯１１を置き、比較的ゆるやかに支えている。
【手続補正６】
【補正対象書類名】明細書
【補正対象項目名】００１２
【補正方法】変更
【補正の内容】
【００１２】
次に後身頃３の筒状編地４の編組織について説明する。
後身頃３の後衿刳６から裾部１０までの間に緊締力大なる組織よりなるダイヤ形編地２１を配し、その周囲の後身頃衿刳６、左右の後身頃袖刳７，７、裾部１０で囲われた部分は脇下部２０まで最も伸び易い組織、例えば天竺としている。そして、緊締力大なる編地２２を介して中間の緊締力を有する脇下部分２０が前身頃のバスト外側縁部１５に連続し、筒状体を構成している。前記ダイヤ形編地２１は緊締力大なるが為に、着用時背部の屈曲を正し姿勢を正す方向に作用する。
【手続補正書】
【提出日】平成23年5月16日(2011.5.16)
【手続補正１】
【補正対象書類名】特許請求の範囲
【補正対象項目名】全文
【補正方法】変更
【補正の内容】
【特許請求の範囲】
【請求項１】
裾口部，袖口部，穿口部を含む衣料の開口部の身生地端縁にストレッチ性を有する経編地帯状体を貼り付けてなる衣料品。
【請求項２】
経編地は、メッシュ地である請求項１記載の衣料品。
【請求項３】
経編地は、弾性糸を編み込んである請求項１記載の衣料品。
【請求項４】
身生地と経編地との接着は両生地間に置いた熱可塑性接着フィルムを圧接・加熱溶融してなることを特徴とする請求項１記載の衣料品。
【請求項５】
身生地と経編地との接着は両生地間に置いた接着剤によりなされることを特徴とする請求項１記載の衣料品。
【手続補正２】
【補正対象書類名】明細書
【補正対象項目名】０００４
【補正方法】変更
【補正の内容】
【０００４】
上記の点に鑑みて、本発明は、ブラジャー，ショーツ，肌着等の衣料にあって、身生地の端縁部に緊締性を持たせるために付加する弾性を有する帯状体が、取り付けを誤り位置修正を余儀なくされたような場合、即ち、従来の天ゴムなどを例えばウエストなどの縁部分に採用した場合に、天ゴムとウエスト縁部分を綺麗にあわせる為にウエスト部の身生地の縁を天ゴムを傷つけないように切らなければならないが、その場合に天ゴムを傷つけないようにカットするのは非常に困難で、本発明では天ゴムの替わりに使用するストレッチ性のある生地である為に、例えばウエスト身生地ごとこの天ゴムの代わりのストレッチ性のある生地の切断も可能なので、縁を綺麗に簡単に処理する事を可能とした衣料を得ることを目的としている。
【手続補正３】
【補正対象書類名】明細書
【補正対象項目名】０００５
【補正方法】変更
【補正の内容】
【０００５】
請求項１記載の発明は、衣料品であって、裾口部，袖口部，穿口部を含む衣料の開口部の身生地端縁にストレッチ性を有する経編地帯状体を貼り付けてなる。
請求項２記載の発明は、請求項１記載の発明において、経編地をメッシュ地としている。
請求項３記載の発明は、請求項１記載の発明において、経編地を弾性糸を編み込んだ組織としている。
請求項４記載の発明は、請求項１記載の発明において、身生地と経編地との接着は両生地間に置いた熱可塑性接着フィルムを圧接・加熱溶融してなるものとした。
請求項５記載の発明は、請求項１記載の発明において、身生地と経編地との接着は両生地間に置いた接着剤によりなされるものとした。
【手続補正４】
【補正対象書類名】明細書
【補正対象項目名】０００６
【補正方法】変更
【補正の内容】
【０００６】
本発明衣料は、衣料品であって、裾口部，袖口部，穿口部を含む衣料の開口部の身生地端縁にストレッチ性を有する経編地帯状体を貼り付けてなるものとしたために、身生地に取り付けた帯状体の一部を切除するような処置を行っても、帯状体を構成する組織が解かれ編地が崩壊するような事態は生ぜず、上記切除された帯状体の端縁は綺麗な状態のまま残すことが出来、製品の商品価値を下げるような事態は生じない。
【手続補正書】
【提出日】平成23年5月16日(2011.5.16)
【手続補正１】
【補正対象書類名】明細書
【補正対象項目名】０００７
【補正方法】変更
【補正の内容】
【０００７】
サイドベルト３の上縁８にはサイドベルト部ストラップ支持体９を、また、カップ部２の上縁にはカップ部上部ストラップ支持体１０を、それぞれ設け、カップ部側部下縁のストラップ固定部１１に一端を固定したストラップ１２を、前記カップ上部ストラップ支持体１０，サイドベルト部ストラップ支持体９で支持している。
ストラップ１２の途中にはアジャスター１４を設け、ストラップ１２の折り返し長さを調節することでストラップ１２の全長を制御し、着用者の体格に合わせることが出来るようにしている。
【手続補正２】
【補正対象書類名】明細書
【補正対象項目名】０００８
【補正方法】変更
【補正の内容】
【０００８】
本発明ブラジャー１を使用する際は、着用時アジャスター１４の位置によりストラップ１２の長さを使用者の姿勢に応じて調整する。この際にストラップ１２はカップ部２の側部を通るように位置することになるため、カップ部２をその側面から中央に向けて押圧するようになり、結果着用者の姿勢を細身に見せ得ることになる。更にストラップ１２は、カップ部上部ストラップ支持体１０とストラップ固定部１１との間においてカップ部身頃地とは一体に固定されていない場合は、その内の箇所ごとの細かい形状を拾ってカップ部２を引き上げるような作用をなすから更に効果的に姿勢の修正が行える。
【手続補正３】
【補正対象書類名】明細書
【補正対象項目名】００１０
【補正方法】変更
【補正の内容】
【００１０】
１  ブラジャー
２  カップ部
３  サイドベルト部
４  係止具
５  内側生地
６  出入口
７  バストカップ
８  サイドベルト上縁
９  サイドベルト部ストラップ支持体
１０  カップ部上部ストラップ支持体
１１  ストラップ固定部
１２  ストラップ
【手続補正書】
【提出日】平成23年2月18日(2011.2.18)
【手続補正１】
【補正対象書類名】特許請求の範囲
【補正対象項目名】全文
【補正方法】変更
【補正の内容】
【特許請求の範囲】
【請求項１】
接地面に移動可能に置かれて所定の重量を備えた基台と、基台上に設けられた左右のレールと、レールに沿って前後方向に移動可能に設けられた複数の門型枠体と、各門型枠体を前後方向に伸縮可能に連結する伸縮手段と、収縮された各門型枠体をレールの略中央に係留する係留手段と、基台の四隅に設けられて吊上げ用の索条を着脱可能に係止する吊具と、から構成した事を特徴とする蛇腹式テント。
【請求項２】
基台は、四枠状に配される前後左右の枠材と、四隅に設けられて隣接する枠材を着脱可能に連結する隅角材とを備えている請求項１に記載の蛇腹式テント。
【請求項３】
係留手段は、最前及び最後の門型枠体に昇降可能に設けられた落し棒と、レールの前後方向の所定間隔毎に設けられて落し棒を受け入れる複数の受筒とを備えて居り、門型枠体の伸長状態と端部収縮状態と中央収縮状態とに係留可能な請求項１又は２に記載の蛇腹式テント。
【請求項４】
吊具は、基体の隅角材に設けられている請求項１〜３の何れかに記載の蛇腹式テント。
【請求項５】
門型枠体のうち最前及び最後のものは、吊具との間で索条を掛渡して門型枠体を伸長状態に保持する為の掛具を備えている請求項１〜４の何れかに記載の蛇腹式テント。
【手続補正書】
【提出日】平成23年1月27日(2011.1.27)
【手続補正１】
【補正対象書類名】特許請求の範囲
【補正対象項目名】全文
【補正方法】変更
【補正の内容】
【特許請求の範囲】
【請求項１】
回転可能なディスク型プラットホームと、
前記プラットホーム上に配置された混合チャンバーと、
前記プラットホーム上で前記混合チャンバーよりも前記プラットホームの中心に近くに配置され、チャンネルを通じて前記混合チャンバーと連結されて、少なくとも一回一定量ずつのバッファ液を前記混合チャンバーに供給するバッファ液保存部と、
前記プラットホーム上で前記混合チャンバーよりも前記プラットホームの中心から遠くに配置され、それぞれが前記混合チャンバーの一定水位に対応する中間排出口から延びた流路を通じて前記混合チャンバーと連結されて、前記混合チャンバーで少なくとも一回希釈された溶液を順次に受容する複数の希釈溶液チャンバーと、
を備えることを特徴とする希釈のための遠心力基盤の微細流動装置。
【請求項２】
前記プラットホーム上で前記混合チャンバーよりも前記プラットホームの中心に近くに配置され、外部から注入された試料を遠心力により前記混合チャンバーに供給する試料保存部をさらに備えることを特徴とする請求項１に記載の微細流動装置。
【請求項３】
前記バッファ液保存部は、その内部の体積が一定な体積のｎ倍（ｎは、自然数）に該当する複数の水位段階ごとに個別的に駆動される出口弁が設けられたメータリングチャンバーを備えることを特徴とする請求項１または２に記載の微細流動装置。
【請求項４】
前記バッファ液保存部は、それぞれ個別的に駆動される出口弁を備え、同じ体積を有する複数のバッファ液チャンバーを備えることを特徴とする請求項１〜３のいずれか一項に記載の微細流動装置。
【請求項５】
前記混合チャンバーの中間排出口から前記複数の希釈溶液チャンバーに連結されるそれぞれの流路には、それらを個別的に開閉する弁または弁群が設けられたことを特徴とする請求項１〜４のいずれか一項に記載の微細流動装置。
【請求項６】
前記弁または弁群は、常温で固状である相転移物質分散媒に発熱粒子が分散された弁物質を含み、前記弁物質が外部エネルギー源から照射された電磁波による熱により溶融された状態に移動して、前記チャンネルを開閉する相転移弁を備えることを特徴とする請求項５に記載の微細流動装置。
【請求項７】
前記弁群は、開放弁と閉鎖弁とからなる一対の相転移弁を備えることを特徴とする請求項６に記載の微細流動装置。
【請求項８】
前記相転移物質分散媒は、ワックス、ゲル、熱可塑性樹脂からなる群から選択された少なくともいずれか一つであることを特徴とする請求項６または７に記載の微細流動装置。
【請求項９】
前記発熱粒子は、直径が１ｎｍ〜１００μｍであることを特徴とする請求項６〜８のいずれか一項に記載の微細流動装置。
【請求項１０】
前記発熱粒子は、重合体ビード、量子ドット、金ナノ粒子、銀ナノ粒子、金属化合物ビード、炭素粒子、及び磁性ビードからなる群から選択された少なくともいずれか一つであることを特徴とする請求項６〜９のいずれか一項に記載の微細流動装置。
【請求項１１】
回転可能なディスク型プラットホームと、前記プラットホーム上に配置された混合チャンバーと、前記プラットホーム上で前記混合チャンバーよりも前記プラットホームの中心に近くに配置され、チャンネルを通じて前記混合チャンバーと連結されて、少なくとも一回一定量ずつのバッファ液を前記混合チャンバーに供給するバッファ液保存部と、前記プラットホーム上で前記混合チャンバーよりも前記プラットホームの中心から遠くに配置され、それぞれが前記混合チャンバーの一定水位に対応する中間排出口から延びた流路を通じて前記混合チャンバーと連結されて、前記混合チャンバーで少なくとも一回希釈された溶液を順次に受容する複数の希釈溶液チャンバーと、を備える微細流動装置と、
前記微細流動装置を支持して制御可能に回転させる回転駆動部と、
前記微細流動装置内で選択された弁を個別的に駆動する弁駆動ユニットと、
を備えることを特徴とする遠心力基盤の微細流動システム。
【請求項１２】
前記弁駆動ユニットは、
前記弁内の発熱粒子の発熱を誘導できる波長帯の電磁波を放出する外部エネルギー源と、
前記外部エネルギー源から照射された電磁波が前記選択された弁に対応する領域に集中的に達するように、前記外部エネルギー源の位置または方向を調整する外部エネルギー源調整手段と、
を備えることを特徴とする請求項１１に記載の微細流動システム。
【請求項１３】
前記外部エネルギー源調整手段は、前記微細流動装置のプラットホームに向かって設置された前記外部エネルギー源を前記プラットホームの半径方向に移動させる直線移動手段を備えることを特徴とする請求項１２に記載の微細流動システム。
【請求項１４】
前記外部エネルギー源調整手段は、前記微細流動装置のプラットホームに向かって設置された前記外部エネルギー源を、前記プラットホームと平行な平面上で直交座標に沿って二方向に移動させる平面移動手段を備えることを特徴とする請求項１２に記載の微細流動システム。
【請求項１５】
前記プラットホーム上で前記混合チャンバーよりも前記プラットホームの中心に近くに配置され、外部から注入された試料を遠心力により前記混合チャンバーに供給する試料保存部をさらに備えることを特徴とする請求項１１〜１４のいずれか一項に記載の微細流動システム。
【請求項１６】
前記バッファ液保存部は、その内部の体積が一定な体積のｎ倍（ｎは、自然数）に該当する複数の水位段階ごとに個別的に駆動される出口弁が設けられたメータリングチャンバーを備えることを特徴とする請求項１１〜１５のいずれか一項に記載の微細流動システム。
【請求項１７】
前記バッファ液保存部は、それぞれ個別的に駆動される出口弁を備え、同じ体積を有する複数のバッファ液チャンバーを備えることを特徴とする請求項１１〜１６のいずれか一項に記載の微細流動システム。
【請求項１８】
前記混合チャンバーの中間排出口から前記複数の希釈溶液チャンバーに連結されるそれぞれの流路には、それらを個別的に開閉する弁または弁群が設けられたことを特徴とする請求項１１〜１７のいずれか一項に記載の微細流動システム。
【請求項１９】
前記弁または弁群は、常温で固状である相転移物質分散媒に発熱粒子が分散された弁物質を含み、前記弁物質が外部エネルギー源から照射された電磁波による熱により溶融された状態に移動して、前記チャンネルを開閉する相転移弁を備えることを特徴とする請求項１８に記載の微細流動システム。
【請求項２０】
前記弁群は、開放弁と閉鎖弁とからなる一対の相転移弁を備えることを特徴とする請求項１９に記載の微細流動システム。
【請求項２１】
前記相転移物質分散媒は、ワックス、ゲル、熱可塑性樹脂からなる群から選択された少なくともいずれか一つであることを特徴とする請求項１９または２０に記載の微細流動システム。
【請求項２２】
前記発熱粒子は、直径が１ｎｍ〜１００μｍであることを特徴とする請求項１９〜２１のいずれか一項に記載の微細流動システム。
【請求項２３】
前記発熱粒子は、重合体ビード、量子ドット、金ナノ粒子、銀ナノ粒子、金属化合物ビード、炭素粒子、及び磁性ビードからなる群から選択された少なくともいずれか一つであることを特徴とする請求項１９〜２２のいずれか一項に記載の微細流動システム。
【手続補正書】
【提出日】平成23年2月8日(2011.2.8)
【手続補正１】
【補正対象書類名】特許請求の範囲
【補正対象項目名】全文
【補正方法】変更
【補正の内容】
【特許請求の範囲】
【請求項１】
容器（１）内に存在する媒体（２）の充填状態を検出し、前記充填状態に対応する切り替え信号を出力する充填状態スイッチにおいて、
少なくとも１つの電磁的な信号を形成する信号発生器（３）、測定導体装置（５）および基準導体装置（６）を有し、前記測定導体装置（５）および前記基準導体装置（６）には前記信号発生器（３）によって形成された電磁的な信号がそれぞれ供給され、前記測定導体装置（５）は供給された前記電磁的な信号が該測定導体装置（５）は前記媒体（２）によって包囲されているか否かに依存して変化するように構成され配置されており、前記基準導体装置（６）は供給された前記電磁的な信号が前記媒体（２）の充填状態に依存しないように構成され配置されており、前記測定導体装置（５）の所定の個所には測定電圧を検出するための測定電圧取り出し部（８）が設けられており、前記基準導体装置（６）の所定の個所には基準電圧を検出するための基準電圧取り出し部（９）が設けられており、前記測定電圧を前記基準電圧と比較し、該比較の結果に依存する切り替え信号を出力する電圧比較器（１２）が設けられていることを特徴とする、充填状態スイッチ。
【請求項２】
前記信号発生器（３）によって形成される電磁的な信号として所定の周波数を有する高周波信号が使用される、請求項１記載の充填状態スイッチ。
【請求項３】
前記測定導体装置（５）および前記基準導体装置（６）には信号結合器（４）を介してそれぞれ同一の信号が供給される、請求項１または２記載の充填状態スイッチ。
【請求項４】
前記測定導体装置（５）は前記容器（１）内に挿入されている、請求項１から３までのいずれか１項記載の充填状態スイッチ。
【請求項５】
前記測定導体装置（５）および前記基準導体装置（６）は前記容器（１）内に挿入されている共通のセンサロッド（１３）の内部に設けられている、請求項４記載の充填状態スイッチ。
【請求項６】
前記センサロッド（１３）は誘電性のセンサロッドである、請求項５記載の充填状態スイッチ。
【請求項７】
前記測定導体装置（５）は前記センサロッド（１３）の外側の領域に設けられており、前記基準導体装置（６）は前記センサロッド（１３）の内側の領域に設けられている、請求項５または６記載の充填状態スイッチ。
【請求項８】
測定導体装置（５）および／または基準導体装置（６）として二重導体装置が設けられている、請求項１から７までのいずれか１項記載の充填状態スイッチ。
【請求項９】
前記測定導体装置（５）は開かれた端部（７）を有する、請求項８記載の充填状態スイッチ。
【請求項１０】
１つの共通の基準導体装置（６）を有する複数の測定導体装置（５）が設けられている、請求項１から９までのいずれか１項記載の充填状態スイッチ。
【手続補正書】
【提出日】平成22年12月15日(2010.12.15)
【手続補正１】
【補正対象書類名】特許請求の範囲
【補正対象項目名】全文
【補正方法】変更
【補正の内容】
【特許請求の範囲】
【請求項１】
個別に映像を表示する第１表示パネルと第２表示パネル、
外部からの映像信号と入力制御信号とに従って前記第１表示パネルを駆動する第１表示パネル駆動部、
外部からの映像信号と入力制御信号とに従って前記第２表示パネルを駆動する第２表示パネル駆動部、及び、
前記第１表示パネル駆動部と前記第２表示パネル駆動部とに映像信号と入力制御信号とを提供する中央処理部、
を有する電子装置であり、
前記中央処理部は、
前記第１表示パネル駆動部と前記第２表示パネル駆動部とのそれぞれに、表示パネル選択ビットとデータビットとを含むインターフェース信号を出力するインターフェース送信部、
を含み、
前記第１表示パネル駆動部は、
前記インターフェース送信部から前記インターフェース信号を受信する第１インターフェース受信部、
を含み、前記表示パネル選択ビットに応じて映像信号と入力制御信号とを処理し、
前記第２表示パネル駆動部は、
前記インターフェース送信部から前記インターフェース信号を受信する第２インターフェース受信部、
を含み、前記表示パネル選択ビットに応じて映像信号と入力制御信号とを処理する、
電子装置。
【請求項２】
前記入力制御信号はメインクロック信号を含み、前記メインクロック信号は前記第１インターフェース受信部及び第２インターフェース受信部に入力される、請求項１に記載の電子装置。
【請求項３】
前記インターフェース送信部は前記表示パネル選択ビットを前記データビットより先に出力する、請求項１に記載の電子装置。
【請求項４】
前記表示パネル選択ビットは、前記第１表示パネル又は前記第２表示パネルのうち、前記中央処理部によって選択された方を示す、請求項１に記載の電子装置。
【請求項５】
前記第１表示パネルに光を照射する第１光源部、
前記第２表示パネルに光を照射する第２光源部、
前記第１光源部を制御する第１光源駆動部、及び、
前記第２光源部を制御する第２光源駆動部、
を更に有する、請求項１に記載の電子装置。
【請求項６】
前記第１光源部は、前記インターフェース送信部から前記インターフェース信号を受信する第３インターフェース受信部を更に含み、
前記第２光源部は、前記インターフェース送信部から前記インターフェース信号を受信する第４インターフェース受信部を更に含む、
請求項５に記載の電子装置。
【請求項７】
前記入力制御信号はメインクロック信号を含み、前記メインクロック信号は前記第３インターフェース受信部及び前記第４インターフェース受信部に入力される、請求項６に記載の電子装置。
【請求項８】
前記インターフェース信号は光源選択ビットを更に含む、請求項６に記載の電子装置。
【請求項９】
前記光源選択ビットは、前記第１光源部又は前記第２光源部のうち、前記中央処理部によって選択された方を示す、請求項８に記載の電子装置。
【請求項１０】
前記表示パネル選択ビットが前記中央処理部による前記第１表示パネルの選択を示すとき、前記光源選択ビットは前記中央処理部による前記第１光源部の選択を示し、
前記表示パネル選択ビットが前記中央処理部による前記第２表示パネルの選択を示すとき、前記光源選択ビットは前記中央処理部による前記第２光源部の選択を示す、
請求項８に記載の電子装置。
【手続補正書】
【提出日】平成23年2月4日(2011.2.4)
【手続補正１】
【補正対象書類名】特許請求の範囲
【補正対象項目名】全文
【補正方法】変更
【補正の内容】
【特許請求の範囲】
【請求項１】
ＣＰＵインターフェース方式で相互連結された外部システムから外部水平同期信号を受信するタイミング制御部と、
前記外部システムから伝送されたｎ（ｎは自然数）番目フレーム画像信号を前記外部水平同期信号に基づいてライン単位で保存するライン保存部と、
前記外部水平同期信号に基づいてｎ−１番目フレーム画像信号を保存するフレーム保存部と、
前記ライン保存部及び前記フレーム保存部から前記外部水平同期信号に基づいてそれぞれ出力された前記ｎ番目及びｎ−１番目フレーム画像信号を利用してｎ番目フレーム補償画像信号を生成する画像補償部と、を備えることを特徴とする表示パネルの駆動装置。
【請求項２】
前記ｎ番目フレーム補償画像信号をアナログ形態の補償画像信号に変換して出力するソース駆動部を更に備えることを特徴とする請求項１記載の表示パネルの駆動装置。
【請求項３】
前記外部水平同期信号を利用してフレームの開始点を記録するレジスタと、
前記レジスタに記録された前記フレームの開始点を利用して内部垂直同期信号を生成するクロック発生部と、を更に備えることを特徴とする請求項１記載の表示パネルの駆動装置。
【請求項４】
前記タイミング制御部は、前記内部垂直同期信号を利用して前記ライン保存部、前記フレーム保存部、及び前記画像補償部を制御することを特徴とする請求項３記載の表示パネルの駆動装置。
【請求項５】
前記クロック発生部は、前記外部水平同期信号を分割してピクセルクロック信号を生成することを特徴とする請求項３記載の表示パネルの駆動装置。
【請求項６】
前記ライン保存部は、前記ピクセルクロック信号に同期させて前記ｎ番目フレーム画像信号をピクセル単位で出力することを特徴とする請求項５記載の表示パネルの駆動装置。
【請求項７】
前記フレーム保存部は、前記ピクセルクロック信号に同期させて前記ｎ−１番目フレーム画像信号をピクセル単位で出力することを特徴とする請求項６記載の表示パネル駆動装置。
【請求項８】
前記画像補償部は、前記ピクセル単位で出力された前記ｎ番目及びｎ−１番目フレーム画像信号を利用して前記ピクセル単位のｎ番目フレーム補償画像信号を生成することを特徴とする請求項７記載の表示パネルの駆動装置。
【請求項９】
前記タイミング制御部は、前記外部システムから外部垂直同期信号を受信することを特徴とする請求項１記載の表示パネルの駆動装置。
【請求項１０】
前記タイミング制御部は、前記外部垂直同期信号に基づいて前記ライン保存部、前記フレーム保存部、及び前記画像補償部を制御することを特徴とする請求項９記載の表示パネルの駆動装置。
【手続補正２】
【補正対象書類名】明細書
【補正対象項目名】発明の名称
【補正方法】変更
【補正の内容】
【発明の名称】表示パネルの駆動装置
【手続補正３】
【補正対象書類名】明細書
【補正対象項目名】０００１
【補正方法】変更
【補正の内容】
【０００１】
本発明は、表示パネルの駆動装置に関し、より詳細には、ＣＰＵインターフェースモードを有する表示パネルの駆動装置に関する。
【手続補正４】
【補正対象書類名】明細書
【補正対象項目名】０００７
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
このような本発明の表示パネルの駆動装置によれば、ＣＰＵインターフェース方式を有する中小型表示装置において、ライン単位の画像信号を保存するライン保存部を具備することにより、ｎ−１番目フレーム画像信号とｎ番目フレーム画像信号との間の入出力同期を合わせてｎ番目フレームの補償画像信号を生成することができる。これによって、ＣＰＵインターフェース方式を有する中小型表示装置で動画像の表示品質を向上させることができる。
【手続補正８】
【補正対象書類名】明細書
【補正対象項目名】００１３
【補正方法】変更
【補正の内容】
【００１３】
以下、本発明の表示パネルの駆動装置を実施するための最良の形態の具体例を、図面を参照しながら詳細に説明する。なお、同じ構成要素には同じ図面符号を付与し、重複する説明は簡略に説明する。
【手続補正書】
【提出日】平成23年2月1日(2011.2.1)
【手続補正１】
【補正対象書類名】特許請求の範囲
【補正対象項目名】全文
【補正方法】変更
【補正の内容】
【特許請求の範囲】
【請求項１】
複数のゲートラインと、
複数のメインデータラインと、
前記メインデータライン及び前記ゲートラインと電気的に接続されるメインスイッチング素子と、
前記メインスイッチング素子に電気的に接続される複数の液晶キャパシタと、
外部から提供される部分駆動信号を伝達する複数の部分ゲートラインと、
データ信号を伝達する複数の部分データラインと、
前記部分駆動信号に応答してターンオンし、前記メインスイッチング素子のターンオンによって、前記データ信号を前記部分データラインを経由してメモリに供給し、該メモリに保存された前記データ信号を前記液晶キャパシタに供給する部分スイッチング素子とを有することを特徴とする液晶表示パネル。
【請求項２】
前記ゲートラインと前記メインデータラインは表示部を定義し、
前記表示部は、メイン画面と、該メイン画面の一部と重なった部分画面とを含むことを特徴とする請求項１に記載の液晶表示パネル。
【請求項３】
前記部分ゲートラインは、前記部分画面に対応して形成されることを特徴とする請求項２に記載の液晶表示パネル。
【請求項４】
前記部分ゲートラインは、前記部分画面に対応して形成されたすべての部分スイッチング素子と電気的に接続されることを特徴とする請求項３に記載の液晶表示パネル。
【請求項５】
前記部分画面に対応して形成された部分データラインは、隣接する部分データラインと共通接続されることを特徴とする請求項２に記載の液晶表示パネル。
【請求項６】
表示領域の周辺領域に配置されるメモリと、
前記表示領域に形成されて全体画面モード時に活性化し、部分画面モード時に不活性化するメイン画面と、該メイン画面の一部と重なって全体画面モード時に活性化され、部分画面モード時に前記メモリの制御に応答して活性化する部分画面を含む表示部とを有することを特徴とする液晶表示パネル。
【請求項７】
前記表示部は、複数のゲートラインと、
前記ゲートラインと交差して、複数の画素領域を定義する複数のデータラインと、
前記部分画面に対応する領域に形成され、前記部分画面を定義する複数の部分ゲートラインとを含むことを特徴とする請求項６に記載の液晶表示パネル。
【請求項８】
前記表示部は、前記部分ゲートラインと交差する複数の部分データラインを更に含み、前記メモリは複数のメモリセルを含み、
前記メモリセルのそれぞれは、少なくとも２つ以上の部分データラインと電気的に接続されることを特徴とする請求項７に記載の液晶表示パネル。
【請求項９】
前記メモリセルのそれぞれは、ＳＲＡＭ（ｓｔａｔｉｃ  ｒａｎｄｏｍ  ａｃｃｅｓｓ  ｍｅｍｏｒｙ）セルと、
前記部分データラインの１つと前記ＳＲＡＭセルとの間を電気的に接続する第１スイッチと、
前記第１スイッチと一端を共通し、部分データラインの他の１つと前記ＳＲＡＭセルとの間を電気的に接続する第２スイッチとを含むことを特徴とする請求項８に記載の液晶表示パネル。
【請求項１０】
前記第１及び第２スイッチそれぞれは、トランスミッションゲートを含み、前記第１及び第２スイッチのそれぞれは、外部から供給される第１反転信号と、該第１反転信号と逆位相である第２反転信号に応答して交互にターンオンされ、前記ＳＲＡＭセルにデータ信号が書き込まれるように制御することを特徴とする請求項９に記載の液晶表示パネル。
【手続補正２】
【補正対象書類名】明細書
【補正対象項目名】発明の名称
【補正方法】変更
【補正の内容】
【発明の名称】液晶表示パネル
【手続補正３】
【補正対象書類名】明細書
【補正対象項目名】０００１
【補正方法】変更
【補正の内容】
【０００１】
本発明は、液晶表示パネルに関し、より詳細には実質的に増加したメイン表示領域を有しながらも消費電力を減少させることのできる液晶表示パネルに関する。
【手続補正４】
【補正対象書類名】明細書
【補正対象項目名】０００６
【補正方法】変更
【補正の内容】
【０００６】
そこで、本発明は上記従来の液晶表示パネルにおける問題点に鑑みてなされたものであって、本発明の目的は、実質的に増加したメイン表示領域を有しながらも消費電力を減少させることのできる液晶表示パネルを提供することにある。
【手続補正５】
【補正対象書類名】明細書
【補正対象項目名】００１０
【補正方法】変更
【補正の内容】
【００１０】
前記表示部は、複数のゲートラインと、前記ゲートラインと交差して、複数の画素領域を定義する複数のデータラインと、前記部分画面に対応する領域に形成され、前記部分画面を定義する複数の部分ゲートラインとを含むことが好ましい。
前記表示部は、前記部分ゲートラインと交差する複数の部分データラインを更に含み、前記メモリは複数のメモリセルを含み、前記メモリセルのそれぞれは、少なくとも２つ以上の部分データラインと電気的に接続されることが好ましい。
前記メモリセルのそれぞれは、ＳＲＡＭ（ｓｔａｔｉｃ  ｒａｎｄｏｍ  ａｃｃｅｓｓ  ｍｅｍｏｒｙ）セルと、前記部分データラインの１つと前記ＳＲＡＭセルとの間を電気的に接続する第１スイッチと、前記第１スイッチと一端を共通し、部分  データラインの他の１つと前記ＳＲＡＭセルとの間を電気的に接続する第２スイッチとを含むことが好ましい。
前記第１及び第２スイッチそれぞれは、トランスミッションゲートを含み、前記第１及び第２スイッチのそれぞれは、外部から供給される第１反転信号と、該第１反転信号と逆位相である第２反転信号に応答して交互にターンオンされ、前記ＳＲＡＭセルにデータ信号が書き込まれるように制御することが好ましい。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正書】
【提出日】平成23年2月1日(2011.2.1)
【手続補正１】
【補正対象書類名】特許請求の範囲
【補正対象項目名】全文
【補正方法】変更
【補正の内容】
【特許請求の範囲】
【請求項１】
動作中、印刷媒体のシートに接触し、マーキング材を前記シートに定着させる定着器部材と、
ガスを前記シートに加え、前記シートを前記定着器部材から剥離することを補助する剥取り装置であって、前記剥取り装置は、関連する与圧ガス源を前記定着器部材に隣接した少なくとも一つのオリフィスと接続する流体経路、および前記定着器部材の動作中、前記源と前記少なくとも一つのオリフィスとの中間にある前記流体経路内の前記ガスの圧力を検知する圧力センサーを備える剥取り装置と、  
を含むことを特徴とする定着アセンブリ。
【請求項２】
前記圧力センサーから圧力関連信号を受け取る制御システムをさらに含む、請求項１記載の定着アセンブリ。
【請求項３】
前記制御システムは、前記圧力関連信号に基づいて、異常状態を判定し、あるいは前記剥取り装置に対する調整を決定する、請求項２記載の定着アセンブリ。
【請求項４】
動作中、印刷媒体のシートに接触し、マーキング材を前記シートに定着させる定着器部材と、
ガスを前記シートに加え、前記シートを前記定着器部材から剥離することを補助する剥取り装置であって、前記剥取り装置は、関連する与圧ガス源を前記定着器部材に隣接した少なくとも一つのオリフィスと接続する流体経路、および前記定着器部材の動作中、前記源と前記少なくとも一つのオリフィスとの中間にある前記流体経路内の前記ガスの圧力を検知する第一のセンサーとしての圧力センサーを備える剥取り装置と、
第二のセンサーと、
前記圧力センサーから圧力関連信号を受け取る制御システムであって、前記第一のセンサーと前記第二のセンサーからの情報に基づいて、異常状態を判定し、あるいは前記剥取り装置に対する調整を決定する制御システムと、  
を含むことを特徴とする定着アセンブリ。
【請求項５】
印刷媒体のシートを定着器部材と接触し、マーキング材を前記シートに定着させるステップと、
前記シートを前記定着器部材から剥離することを補助するように、前記シートに向けてガスのパルスを加えるステップと、
前記シートに向けて加えられた前記パルスガスの圧力を検知するステップと、
を含むことを特徴とする方法。
【手続補正書】
【提出日】平成23年1月19日(2011.1.19)
【手続補正１】
【補正対象書類名】特許請求の範囲
【補正対象項目名】全文
【補正方法】変更
【補正の内容】
【特許請求の範囲】
【請求項１】
第１側及び前記第１側と反対側である第２側に向って光を提供する光提供部と、
前記光提供部の第１側に配置され、前記第１側に向う光を用いて第１画像を表示する第１表示パネル部と、
前記光提供部の第２側に配置され、前記第２側に向う光を用いて前記第１画像より小さい第２画像を表示する第２表示パネル部と、
前記第２表示パネル部と前記光提供部との間に配置され、前記光提供部及び前記第１表示パネル部を収納する収納部と、
前記第２表示パネル部と前記収納部との間に配置され、前記第２表示パネル部と対応して開口が形成され、前記光提供部の第１側に向って反射される光量を減少させるためのフィルム部材と、
を含むことを特徴とする表示装置。
【請求項２】
前記フィルム部材は、前記開口の周縁部であって前記第２表示パネル部の周辺部に対応する結合領域を有することを特徴とする請求項１に記載の表示装置。
【請求項３】
前記フィルム部材の結合領域は、接着部材によって前記第２表示パネル部の周辺部と結合されることを特徴とする請求項２に記載の表示装置。
【請求項４】
前記結合領域に隣接して形成され、前記第２表示パネル部の少なくとも一側をガイドする整列部材を更に含むことを特徴とする請求項２に記載の表示装置。
【請求項５】
前記第２表示パネル部は、
前記第２画像を表示する表示パネルと、
前記表示パネルを収納するモールドフレームと、
を含み、前記フィルム部材の結合領域は、前記モールドフレームの周辺部に結合されることを特徴とする請求項２に記載の表示装置。
【請求項６】
前記フィルム部材は、前記光提供部の第１側に向って反射される光量を減少させるために着色されることを特徴とする請求項１に記載の表示装置。
【請求項７】
前記フィルム部材は、黒色または灰色であることを特徴とする請求項６に記載の表示装置。
【請求項８】
前記フィルム部材及び前記収納部は、接着部材によって結合されることを特徴とする請求項１に記載の表示装置。
【請求項９】
前記収納部と前記フィルム部材との間に配置される光学部材を更に含み、
前記光学部材は、前記第２表示パネル部の周辺部に対応する結合領域を有することを特徴とする請求項１に記載の表示装置。
【請求項１０】
前記光学部材の結合領域は、接着部材によって前記第２表示パネル部の周辺部と結合されることを特徴とする請求項９に記載の表示装置。
【手続補正書】
【提出日】平成23年11月1日(2011.11.1)
【手続補正１】
【補正対象書類名】特許請求の範囲
【補正対象項目名】全文
【補正方法】変更
【補正の内容】
【特許請求の範囲】
【請求項１】
プロトン伝導性電解質膜の両面に、触媒層及び電極基材からなる触媒電極が形成され、前記電解質膜上で前記触媒電極の周囲にマスクフィルムを配置した固体高分子形燃料電池用のマスクフィルム付き電解質膜−電極接合体であって、
前記電解質膜の少なくとも一方面の前記触媒層は、所望形状の開口部が形成されたマスクフィルムの該開口部を通じて前記電解質膜上に形成され、
前記マスクフィルムは、前記電解質膜と面する一方面にガスバリア層を備え、他方面に離型層を備えており、前記電解質膜上に接着されていることを特徴とする固体高分子形燃料電池用のマスクフィルム付き電解質膜−電極接合体。
【請求項２】
前記触媒層は、前記マスクフィルムの開口部内側面と接していることを特徴とする請求項１に記載の固体高分子形燃料電池用のマスクフィルム付き電解質膜−電極接合体。
【請求項３】
前記マスクフィルムは、前記ガスバリア層の電解質側の面に、さらに接着層を備えたことを特徴とする請求項１又は２に記載の固体高分子形燃料電池用のマスクフィルム付き電解質膜−電極接合体。
【手続補正２】
【補正対象書類名】明細書
【補正対象項目名】００１７
【補正方法】変更
【補正の内容】
【００１７】
そこで、本発明は、所望形状の触媒層を有し、発電性能の低下を抑制し、生産性に優れた、固体高分子形燃料電池用のマスクフィルム付き電解質膜−電極接合体及びその製造方法を提供することを課題とする。
【手続補正３】
【補正対象書類名】明細書
【補正対象項目名】００１８
【補正方法】変更
【補正の内容】
【００１８】
上記課題を解決するための手段として、本発明に係る固体高分子形燃料電池用のマスクフィルム付き電解質膜−電極接合体は、プロトン伝導性電解質膜の両面に、触媒層及び電極基材からなる触媒電極が形成され、前記電解質膜上で前記触媒電極の周囲にマスクフィルムを配置した固体高分子形燃料電池用のマスクフィルム付き電解質膜−電極接合体であって、前記電解質膜の少なくとも一方面の前記触媒層は、所望形状の開口部が形成されたマスクフィルムの該開口部を通じて前記電解質膜上に形成され、前記マスクフィルムは、前記電解質膜と面する一方面にガスバリア層を備え、他方面に離型層を備えており、前記電解質膜上に接着されていることを特徴とする。
【手続補正４】
【補正対象書類名】明細書
【補正対象項目名】００１９
【補正方法】変更
【補正の内容】
【００１９】
前記マスクフィルムは、ガスバリア層の電解質膜側の面に、さらに接着層を備えていてもよい。
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正書】
【提出日】平成23年5月9日(2011.5.9)
【手続補正１】
【補正対象書類名】特許請求の範囲
【補正対象項目名】全文
【補正方法】変更
【補正の内容】
【特許請求の範囲】
【請求項１】
交換レンズを装着可能なカメラボディであって、
前記交換レンズ内の制御に関する状態情報を受信する受信手段と、
前記受信した状態情報に応じて、前記交換レンズを制御するための所定の動作を行うか否かを判断し、該判断結果に基づき制御を行なう制御手段と、
を備えるカメラボディ。
【請求項２】
前記状態情報は、前記交換レンズ内の駆動手段が、前記カメラボディからの制御によらず、前記交換レンズ内にて制御されている状態の情報である、
請求項１に記載のカメラボディ。
【請求項３】
前記制御手段は、
前記状態情報が、前記交換レンズ内の駆動手段が、前記カメラボディからの制御によらず、前記交換レンズ内にて制御されている状態を示すときは、前記交換レンズを制御するための所定の動作を行わないように制御する、
請求項２に記載のカメラボディ。
【請求項４】
前記状態情報は、前記交換レンズ内の駆動手段が、ズームトラッキング動作の制御がされている状態を示す情報である、
請求項１から３のいずれかに記載のカメラボディ。
【請求項５】
前記所定の動作は、前記交換レンズに対する制御信号の生成動作である、
請求項４に記載のカメラボディ。
【請求項６】
前記所定の動作は、前記交換レンズに対する制御信号の送信動作である、
請求項４に記載のカメラボディ。
【請求項７】
前記交換レンズ内の駆動手段は、フォーカスレンズを駆動する駆動手段であって、
前記交換レンズに対する制御信号は、前記駆動手段を動作制御するための制御信号である、
請求項５又は６に記載のカメラボディ。
【請求項８】
前記交換レンズに対する制御信号は、前記駆動手段をウォブリング動作制御するための制御信号である、
請求項７に記載のカメラボディ。
【請求項９】
請求項１に記載のカメラボディに装着可能な交換レンズであって、
駆動手段と、
前記駆動手段の制御に関する状態情報を前記カメラボディに送信する送信手段と、
前記カメラボディから制御信号を受信し、前記受信した制御信号に応じて、前記駆動手段を制御する制御手段と、
を備える交換レンズ。